(57)【要約】【課題】静電容量式タッチパネルに対するユーザ操作の誤検出を防止する「入力装置」を提供する。【解決手段】  待機状態においてタッチパネルコントローラ２４の検出感度を低下しておき、タッチが検出されたならば所定期間経過後に検出感度を高める。その後、コントローラ２５は、指でタッチパネル２２をなぞるなぞり動作の発生を検出したならば、タッチパネルコントローラ２４の検出感度をより高める。ここで、タッチパネルコントローラ２４は、検出した座標と直前に検出した座標との距離が距離のしきい値であるジャンプリミットより小さかった場合に検出した座標のステータスを、タッチ継続下でのタッチ位置の移動として出力し、コントローラ２５は、所定回数以上ステータスがタッチ位置の移動である座標が出力された場合、なぞり動作の発生を検出する。また、なぞり動作の発生を検出したならば、タッチパネルコントローラ２４のジャンプリミットを低下する。【選択図】図５
2019061380.tif 000002
【特許請求の範囲】
【請求項１】
静電容量式のタッチパネルを用いた入力装置であって、
設定された検出感度で、前記タッチパネルへのタッチを検出すると共に、検出したタッチが発生したタッチパネルの座標を接触座標として検出して出力する検出手段と、
前記検出手段の前記検出感度を設定する検出感度設定手段とを有し、
前記検出感度設定手段は、前記検出手段に前記検出感度として第１の感度に設定し、当該第１の感度を検出感度として設定している状態において、前記検出手段が前記タッチを検出した場合に、所定期間経過後に、前記検出手段に前記検出感度として前記第１の感度よりも高い感度である第２の感度を設定することを特徴とする入力装置。
【請求項２】
請求項１記載の入力装置であって、
前記検出感度設定手段は、前記検出手段に前記検出感度として前記第２の感度を設定した後、前記検出手段が、タッチを検出しない期間が所定期間継続したらならば、前記検出手段に前記検出感度として前記第１の感度を設定することを特徴とする入力装置。
【請求項３】
静電容量式のタッチパネルを用いた入力装置であって、
前記タッチパネルへのタッチを検出し、検出したタッチが発生したタッチパネルの座標を接触座標として検出して出力すると共に、検出した接触座標と直前に検出した接触座標との距離が、距離のしきい値であるジャンプリミットより小さい場合に、検出した接触座標のステータスとして、タッチが継続されたままタッチ位置が移動したことを表すステータスを出力する検出手段と、
前記ジャンプリミットの設定を制御するジャンプリミット設定手段とを有し、
前記ジャンプリミット設定手段は、
前記検出手段がタッチを検出した後、前記検出手段の出力を監視して、ユーザがタッチを継続したままタッチ位置を移動させる動作であるなぞり動作の発生を検出すると共に、前記検出手段がタッチを検出してから前記なぞり動作の発生を検出するまで、前記ジャンプリミットが第１の値となり、前記なぞり動作の発生を検出した後、前記ジャンプリミットが前記第１の値よりも小さい第２の値となるように、前記ジャンプリミットの設定を制御することを特徴とする入力装置。
【請求項４】
請求項３記載の入力装置であって、
前記ジャンプリミット設定手段は、前記検出手段がタッチを検出した後、前記検出手段から出力された連続する所定数以上の接触座標のステータスとして、タッチが継続されたままタッチ位置が移動したことを表すステータスが出力されたときに、前記なぞり動作の発生を検出することを特徴とする入力装置。
【請求項５】
請求項３または４記載の入力装置であって、
前記検出手段は、設定された検出感度で、前記タッチパネルへのタッチを検出すると共に、検出したタッチが発生したタッチパネルの座標を接触座標として検出して出力し、
当該入力装置は、前記検出手段の前記検出感度を設定する検出感度設定手段を有し、
前記検出感度設定手段は、前記検出手段がタッチを検出したときに、前記検出手段に前記検出感度として第１の感度に設定し、当該第１の感度を検出感度として設定している状態において、前記なぞり動作の発生を検出した場合に、前記検出手段に前記検出感度として前記第１の感度よりも高い感度である第２の感度を設定することを特徴とする入力装置。
【請求項６】
請求項１記載の入力装置であって、
前記検出手段は、検出した接触座標と直前に検出した接触座標との距離が、距離のしきい値であるジャンプリミットより小さい場合に、検出した接触座標のステータスとして、タッチが継続されたままタッチ位置が移動したことを表すステータスを出力し、
当該入力装置は、
前記ジャンプリミットの設定を制御するジャンプリミット設定手段を有し、
前記ジャンプリミット設定手段は、
前記検出手段がタッチを検出した後、前記検出手段の出力を監視して、ユーザがタッチを継続したままタッチ位置を移動させる動作であるなぞり動作の発生を検出すると共に、前記検出手段がタッチを検出してから前記なぞり動作の発生を検出するまで、前記ジャンプリミットが第１の値となり、前記なぞり動作の発生を検出した後、前記ジャンプリミットが前記第１の値よりも小さい第２の値となるように、前記ジャンプリミットの設定を制御し、
前記検出感度設定手段は、前記なぞり動作の発生を検出した場合に、前記検出手段に前記検出感度として前記第２の感度よりも高い感度である第３の感度を設定することを特徴とする入力装置。
【請求項７】
請求項１、２、３、４、５または６記載の入力装置であって、
当該入力装置は、自動車に搭載されるシステムの入力に用いられる入力装置であることを特徴とする情報処理システム。
【発明の詳細な説明】
【技術分野】
【０００１】
本発明は、静電容量式タッチパネルを用いた入力装置においてユーザ操作の誤検出を防止する技術に関するものである。
【背景技術】
【０００２】
静電容量式タッチパネルを用いた入力装置においてユーザ操作の誤検出を防止する技術としては、入力値としきい値との比較によって接触と非接触を検出する静電容量式タッチパネルにおいて、接触を検出するために用いるしきい値よりも、接触を検出した後に非接触を検出するために用いるしきい値を低い値に設定することにより接触直後の振動による非接触の誤検出を抑制したり、接触を検出するために用いるしきい値を接触非検出期間における入力値のレベルに応じて変更することにより、環境変化による接触の誤検出を抑制する技術が知られている（たとえば、特許文献１）。
【先行技術文献】
【特許文献】
【０００３】
【特許文献１】特開２０１６-２１８５６４号公報
【発明の概要】
【発明が解決しようとする課題】
【０００４】
静電容量式タッチパネルを用いた入力装置では、周辺の電磁波や接触時のユーザの指からの放電やユーザの指とタッチパネルの摩擦による静電によって、ユーザがタッチしていない位置に接触を検出してしまう誤検出が発生することがある。
【０００５】
このような誤検出は、タッチパネルの接触検出の感度を低下させれば、ある程度抑制することができるが、このようにすると、接触検出の応答性なども低化してしまいうため、タッチパネルの操作性が劣化してしまう。
【０００６】
そこで、本発明は、静電容量式タッチパネルを用いた入力装置において、タッチパネルの操作性を可及的に劣化させることなく、ユーザがタッチしていない位置に接触を検出してしまう誤検出を抑制することを課題とする。
【課題を解決するための手段】
【０００７】
前記課題達成のために、本発明は、静電容量式のタッチパネルを用いた入力装置に、設定された検出感度で、前記タッチパネルへのタッチを検出すると共に、検出したタッチが発生したタッチパネルの座標を接触座標として検出して出力する検出手段と、前記検出手段の前記検出感度を設定する検出感度設定手段とを備えたものである。ここで、前記検出感度設定手段は、前記検出手段に前記検出感度として第１の感度に設定し、当該第１の感度を検出感度として設定している状態において、前記検出手段が前記タッチを検出した場合に、所定期間経過後に、前記検出手段に前記検出感度として前記第１の感度よりも高い感度である第２の感度を設定する。
【０００８】
ここで、このような入力装置は、前記検出感度設定手段において、前記検出手段に前記検出感度として前記第２の感度を設定した後、前記検出手段が、タッチを検出しない期間が所定期間継続したらならば、前記検出手段に前記検出感度として前記第１の感度を設定するように構成してもよい。
【０００９】
以上のような入力装置によれば、ユーザのタッチを待つ待機状態においては、検出感度とし感度の低い第１の感度を設定して、電磁波やその他の周辺環境を要因とするタッチの誤検出を抑制することができる。また、ユーザが指をタッチパネルにタッチさせてタッチを検出した直後の所定期間も感度の低い第１の感度が設定されるので、ユーザが指をタッチパネルに接触させた時点で発生するユーザの指からの放電によって、ユーザの指が接触していない座標を接触座標として検出する誤検出等を抑制することができる。そして、その一方で、タッチを検出してから所定期間を経過した後は、検出感度を、感度のより高い第２の感度に設定するので、以降は、応答性を向上した良好な操作性を実現することができる。
【００１０】
また、前記課題達成のために、本発明は、静電容量式のタッチパネルを用いた入力装置に、前記タッチパネルへのタッチを検出し、検出したタッチが発生したタッチパネルの座標を接触座標として検出して出力すると共に、検出した接触座標と直前に検出した接触座標との距離が、距離のしきい値であるジャンプリミットより小さい場合に、検出した接触座標のステータスとして、タッチが継続されたままタッチ位置が移動したことを表すステータスを出力する検出手段と、前記ジャンプリミットの設定を制御するジャンプリミット設定手段とを備えたものである。ここで、前記ジャンプリミット設定手段は、前記検出手段がタッチを検出した後、前記検出手段の出力を監視して、ユーザがタッチを継続したままタッチ位置を移動させる動作であるなぞり動作の発生を検出すると共に、前記検出手段がタッチを検出してから前記なぞり動作の発生を検出するまで、前記ジャンプリミットが第１の値となり、前記なぞり動作の発生を検出した後、前記ジャンプリミットが前記第１の値よりも小さい第２の値となるように、前記ジャンプリミットの設定を制御する。
【００１１】
ここで、このような入力装置は、前記ジャンプリミット設定手段において、前記検出手段がタッチを検出した後、前記検出手段から出力された連続する所定数以上の接触座標のステータスとして、タッチが継続されたままタッチ位置が移動したことを表すステータスが出力されたときに、前記なぞり動作の発生を検出するように構成してもよい。
【００１２】
また、このような入力装置は、前記検出手段を、設定された検出感度で、前記タッチパネルへのタッチを検出すると共に、検出したタッチが発生したタッチパネルの座標を接触座標として検出して出力するものとすると共に、当該入力装置に、前記検出手段の前記検出感度を設定する検出感度設定手段を設け、前記検出感度設定手段において、前記検出手段がタッチを検出したときに、前記検出手段に前記検出感度として第１の感度に設定し、当該第１の感度を検出感度として設定している状態において、前記なぞり動作の発生を検出した場合に、前記検出手段に前記検出感度として前記第１の感度よりも高い感度である第２の感度を設定するように構成してもよい。
【００１３】
以上のような入力装置によれば、ユーザがタッチを継続したままタッチ位置を移動させる動作であるなぞり動作が開始されると、ジャンプリミットが小さい値に設定されるので、タッチパネルをなぞる指とタッチパネルとの摩擦による放電によって、ユーザの指が実際になぞっていない位置までなぞるユーザ操作が誤検出されてしまうことが抑制される。また、なぞり動作が開始されるまでは、ジャンプリミットが比較的大きい値に設定されるので、たとえば、ユーザが高速にタッチをタッチ毎に少し指を滑らせながら繰り返す動作を行った際に、これを複数の点を入力するユーザ操作として認識してしまうこともない。
【００１４】
ここで、以上に示した各入力装置の構成は組み合わせて適用するようにしてもよい。
すなわち、静電容量式のタッチパネルを用いた入力装置に、設定された検出感度で、前記タッチパネルへのタッチを検出し、検出したタッチが発生したタッチパネルの座標を接触座標として検出して出力すると共に、検出した接触座標と直前に検出した接触座標との距離が、距離のしきい値であるジャンプリミットより小さい場合に、検出した接触座標のステータスとして、タッチが継続されたままタッチ位置が移動したことを表すステータスを出力する検出手段と前記検出手段の前記検出感度を設定する検出感度設定手段と、前記ジャンプリミットの設定を制御するジャンプリミット設定手段とを備えるようにしてもよい。ここで、前記ジャンプリミット設定手段は、前記検出手段がタッチを検出した後、前記検出手段の出力を監視して、ユーザがタッチを継続したままタッチ位置を移動させる動作であるなぞり動作の発生を検出すると共に、前記検出手段がタッチを検出してから前記なぞり動作の発生を検出するまで、前記ジャンプリミットが第１の値となり、前記なぞり動作の発生を検出した後、前記ジャンプリミットが前記第１の値よりも小さい第２の値となるように、前記ジャンプリミットの設定を制御する。また、前記検出感度設定手段は、前記検出手段に前記検出感度として第１の感度に設定し、当該第１の感度を検出感度として設定している状態において、前記検出手段が前記タッチを検出した場合に、所定期間経過後に、前記検出手段に前記検出感度として前記第１の感度よりも高い感度である第２の感度を設定し、前記なぞり動作の発生を検出した場合に、前記検出手段に前記検出感度として前記第２の感度よりも高い感度である第３の感度を設定する。
【００１５】
ここで、以上の入力装置は、たとえば、自動車に搭載されるシステムの入力に用いられる入力装置として用いることができる。
【発明の効果】
【００１６】
以上のように、本発明によれば、静電容量式タッチパネルを用いた入力装置において、タッチパネルの操作性を可及的に劣化させることなく、ユーザがタッチしていない位置に接触を検出してしまう誤検出を抑制することができる。
【図面の簡単な説明】
【００１７】
【図１】本発明の実施形態に係る情報処理システムの構成を示すブロック図である。
【図２】本発明の実施形態に係る検出モードと感度及びジャンプリミットの関係を示す図である。
【図３】本発明の実施形態における感度、ジャンプリミットを用いた検出動作を示す図である。
【図４】本発明の実施形態に係る検出モード設定処理をフローチャートである。
【図５】本発明の実施形態に係る検出モード設定処理の処理例を示す図である。
【発明を実施するための形態】
【００１８】
以下、本発明の実施形態について、自動車に搭載される情報処理システムへの適用を例にとり説明する。
図１に、本実施形態に係る情報処理システムの構成を示す。
図示するように、情報処理システムは、データ処理装置１を有し、データ処理装置１は、周辺装置としてタッチパネルモニタ２と、その他の周辺装置３を備えている。
データ処理装置１は、コンピュータとしての構成を備えており、オペレーティングシステム１１と、オペレーティングシステム１１上で稼働する複数のアプリケーションを備えている。
【００１９】
また、タッチパネルモニタ２は、ディスプレイ２１、ディスプレイ２１の表示面の前に配置された静電容量式のタッチパネル２２、ディスプレイ２１の表示を制御する表示コントローラ２３、タッチパネル２２を制御するタッチパネルコントローラ２４、コントローラ２５を一体化したユニットである。
【００２０】
ここで、タッチパネルモニタ２は、ディスプレイ２１の表示方向を前方として、たとえば、自動車のダッシュボードに、タッチパネルモニタ２の前方を、自動車の搭乗者の着座位置方向に受けて装着されて使用される。
【００２１】
さて、このような構成において、タッチパネルモニタ２のコントローラ２５は、表示コントローラ２３を介して、データ処理装置１のオペレーティングシステム１１から表示を要求された画像をディスプレイ２１に表示する。
【００２２】
一方、タッチパネルモニタ２のタッチパネルコントローラ２４は、タッチを検出しているタッチパネル２２の操作面上の座標を接触座標としてコントローラ２５に出力する。また、タッチパネルコントローラ２４は、検出した接触座標に対して、ユーザのタッチパネル２２に対する操作状態を表すステータスを検出して、検出した接触座標コントローラ２５に出力する。ここで、タッチパネルコントローラ２４が検出するステータスには、ユーザがタッチパネル２２にタッチしていることを表す「検出」、ユーザがタッチパネル２２に新たにタッチしたことを表す「プレス」、ユーザがタッチパネル２２から指を離したことを表す「リリース」、ユーザがタッチパネル２２にタッチしたままタッチ位置を移動したことを表す「移動」等がある。
【００２３】
次に、タッチパネルモニタ２のコントローラ２５は、タッチパネルコントローラ２４の各種設定を制御する処理や、タッチパネルコントローラ２４から出力されたステータスや接触座標を、データ処理装置１に通知する処理などを行う。
【００２４】
そして、データ処理装置１のオペレーティングシステム１１は、タッチパネルモニタ２のコントローラ２５を介して、各アプリケーションの出力画面をディスプレイ２１に表示したり、タッチパネルモニタ２のコントローラ２５から通知されたステータスや接触座標から、ユーザがタッチパネル２２を介して行ったタップ、長押し、ダブルタップ、ドラッグ、フリックなどのユーザ操作を識別し、識別したユーザ操作の発生をアプリケーションに通知し、アプリケーションに発生したユーザ操作に応じた処理を行わせる。
【００２５】
以下、タッチパネルモニタ２のタッチパネルコントローラ２４において上述したタッチやステータスを検出する動作について説明する。
まず、本実施形態では、タッチパネルコントローラ２４は、設定された感度を用いてタッチの検出を行う。
ここで、感度は、ThOnとThOffの二つのしきい値によって定まり、タッチパネルコントローラ２４は、図２ａに示すように、静電容量の変化量を表すタッチパネル２２の出力がThOnを超えたときにタッチを検出し、タッチを検出した後に、タッチパネル２２の出力がThOffを下回ったときに、タッチの検出を終了する。
【００２６】
次に、タッチパネルコントローラ２４は、「検出」、「プレス」、「リリース」、「移動」のステータスを次のように検出する。
まず、タッチパネルコントローラ２４は、上述のように感度を用いてタッチが検出されているときに、ステータス「検出」を検出する。
ここで、タッチパネルコントローラ２４は、時間長Tp（たとえば、1ms）の周期でステータスや接触座標を検出する。また、タッチパネルコントローラ２４には、距離のしきい値であるジャンプリミットが設定される。
そして、タッチパネルコントローラ２４は、接触座標として、直前に検出された接触座標と異なる座標であって、直前に検出された接触座標との距離が、ジャンプリミットより小さい座標が検出されたならばステータス「移動」を検出する。
【００２７】
すなわち、図２ｂに示すように、P1,P2,P3,P4,...P19が当該順序でTp周期で連続的に接触座標として検出された場合、P2からP18まで１７個の接触座標は、直前に検出された接触座標（P1からP17）との距離がジャンプリミットより小さい接触座標として検出されているので、これら接触座標に対してステータス「移動」が検出される。
【００２８】
一方、その次の接触座標P19は、直前に検出された接触座標P18との距離がジャンプリミットより小さくないので、接触座標P19に対してステータス「移動」は検出されない。
また、タッチパネルコントローラ２４は、タッチが検出されていない状態において新たなタッチが検出された場合に、検出された接触座標に対してステータス「プレス」を検出する。したがって、図２ｂの接触座標P1に対してはステータス「プレス」が検出される。
【００２９】
また、タッチパネルコントローラ２４は、直前に検出された接触座標と異なる座標であって、直前に検出された接触座標との距離がジャンプリミットより小さくない座標が接触座標として検出された場合、検出された接触座標に対してステータス「プレス」を検出する。したがって、図２ｂの座標P19に対してはステータス「プレス」が検出される。
【００３０】
また、タッチパネルコントローラ２４は、タッチが検出されている状態からタッチが検出されていない状態となったならば、直前に検出された接触座標に対してステータス「リリース」を検出する。
【００３１】
また、タッチパネルコントローラ２４は、直前に検出された接触座標と異なる座標であって、直前に検出された接触座標との距離がジャンプリミットより小さくない座標が接触座標として検出された場合、その直前に検出された接触座標に対してステータス「リリース」を検出する。したがって、図２ｂの接触座標P18に対してステータス「リリース」が検出される。
【００３２】
次に、本実施形態では、タッチパネルコントローラ２４は、ステータスの検出モードとして、耐ノイズモードと、ノーマルモードと、なぞり動作検出モードとの３つのモードを用いる。
【００３３】
ここで、図３に示すように、上述した感度とジャンプリミットのセットは、検出モード毎に異なるセットが定義されている。
すなわち、図３に示すように、感度は、耐ノイズモード、ノーマルモード、なぞり動作検出モードの順に、順次、感度が高くなるように定義されている。ここで、感度が高いとは、より低いレベルのタッチパネル２２の出力に対して、接触や非接触を検出することを言い、感度が高いほどThOnとThOffの二つのしきい値は小さな値となる。
【００３４】
また、ジャンプリミットは、なぞり動作検出モードにおいて用いるジャンプリミットが、耐ノイズモードやノーマルモードよりも小さな値となるように定義されている。
そして、タッチパネルコントローラ２４は、各時点において、その時点で設定されている検出モードに対して定義されている感度とジャンプリミットのセットを用いて、上述したタッチの検出やステータスの検出を行う。
【００３５】
次に、このような検出モードを設定するためにタッチパネルコントローラ２４が行う検出モード設定処理について説明する。
図４に、この検出モード設定処理の手順を示す。
図示するように、この処置では、まず、検出モードとして耐ノイズモードを設定する（ステップ４０２）。
そして、タッチが検出されるのを待ち（ステップ４０４）、タッチが検出されたならば、所定のタイムアウト時間（たとえば、１０ms）のタイムアウト時間を設定したタイマをスタートする（ステップ４０６）。なお、タッチの検出の有無は、ステータス「検出」から識別することができる。
【００３６】
そして、タッチの検出無しの発生と（ステップ４０８）、タイマのタイムアウトの発生と（ステップ４１０）を監視する。
そして、タッチの検出無しが発生したならば（ステップ４０８）、ステップ４０４に戻って、タッチが検出されるのを待つ。
一方、タイマのタイムアウトが発生した場合には（ステップ４１０）、検出モードとしてノーマルモードを設定する（ステップ４１２）。
そして、コントローラ２５からのなぞり動作検出モード設定の指示の発生と（ステップ４１４）、所定期間（たとえば、0.5s)以上のタッチ検出無しの継続の発生と（ステップ４１６）とを監視する。
【００３７】
ここで、コントローラ２５は、タッチパネルコントローラ２４から出力されるステータスから、なぞり動作中を検出し、なぞり動作中を検出したならば、タッチパネルコントローラ２４に、なぞり動作検出モード設定を指示する。
【００３８】
また、コントローラ２５における、なぞり動作中の検出は、タッチパネルコントローラ２４からステータス「移動」が検出されている接触座標が連続してＮ個（Ｎは、たとえば１０）出力されたときに検出を開始し、ステータス「リリース」が検出されたならば検出を終了することにより検出する。
【００３９】
すなわち、図２ｂの場合では、P2からP11までの連続した１０個の接触座標が、直前に検出された接触座標（P1からP10）との距離がジャンプリミットより小さく、ステータス「移動」が検出されているので、P11の接触座標が出力された時点でなぞり動作中の開始が検出される。そして、その後、接触座標P18までは直前に検出された接触座標との距離がジャンプリミットより小さい接触座標であり、ステータス「移動」が検出されているので、なぞり動作中の検出が継続する。そして、接触座標P19が直前に検出された接触座標P18との距離がジャンプリミットより小さくないために、P18の接触座標に対してステータス「リリース」が検出されたならば、なぞり動作中の検出を終了する。
【００４０】
さて、図４に戻り、所定期間以上のタッチ検出無しの継続が発生したならば（ステップ４１６）、ステップ４０２に戻って、検出モードとして耐ノイズモードを設定し、タッチが検出されるのを待つ（ステップ４０４）。
【００４１】
一方、コントローラ２５からのなぞり動作検出モード設定の指示が発生した場合には（ステップ４１４）、検出モードを、なぞり動作検出モードに設定する（ステップ４１８）。
【００４２】
そして、コントローラ２５からのノーマルモード設定の指示の発生と（ステップ４２０）、タッチ検出無しの発生と（ステップ４２２）とを監視する。
ここで、コントローラ２５は、なぞり動作検出モード設定の指示後、なぞり動作中が検出されなくなったならば、タッチパネルコントローラ２４に、ノーマルモード設定を指示する。
【００４３】
そして、コントローラ２５からのノーマルモード設定の指示が発生した場合には（ステップ４２０）、ステップ４１２に進んでノーマルモードを設定し、以降の処理に進む。
また、タッチ検出無しが発生した場合にも（ステップ４２２）、ステップ４１２に進んでノーマルモードを設定し、以降の処理に進む。
以上、タッチパネルコントローラ２４が行う検出モード設定処理について説明した。
次に、図５に、このような検出モード設定処理の処理例を示す。
図示するように、タッチパネル２２にユーザの指が接触しておらず、ユーザの指の接触を待っている待機状態においては、タッチパネルコントローラ２４の検出モードは、耐ノイズモードに設定される。
【００４４】
ここで、耐ノイズモードにおいては、感度が低く設定されているので、電磁波やその他の周辺環境を要因とするタッチの誤検出は抑制される。
そして、この状態で、時刻t1において、ユーザが指をタッチパネル２２に接触させると、タッチパネルコントローラ２４においてタッチが検出される。そして、その後、所定期間（図では１０ms）経過すると検出モードがノーマルモードに設定され、感度が中程度に設定される。
【００４５】
ここで、このように、ユーザが指をタッチパネル２２にタッチさせた直後の所定期間（図では１０ms）までは検出モードが耐ノイズモードに維持され、感度が低く維持されるので、ユーザが指をタッチパネル２２に接触させた時点で発生するユーザの指からの放電によって、ユーザの指が接触していない座標を接触座標として検出してしまったりする誤検出は抑制される。
【００４６】
また、その後、ノーマルモードが設定されて以降は、耐ノイズモードが設定されているときよりも感度が高められるので、応答性を向上した良好な操作性を実現することができる。
【００４７】
そして、その後、ユーザが指でタッチパネル２２の操作面に指を接触させながら移動するなぞり動作を開始すると、感度が中程度のノーマルモードが設定されているタッチパネルコントローラ２４において、このなぞり動作によって指が通過した接触座標が支障なく検出され、時刻t3で、なぞり動作中が検出される。
【００４８】
そして、なぞり動作中が検出されると、検出モードがなぞり動作検出モードに設定され、感度がより高められると共に、ジャンプリミットが小さい値に設定される。
そして、このようにジャンプリミットを小さい値に設定することにより、タッチパネル２２をなぞる指とタッチパネル２２との摩擦による放電によって、ユーザの指が実際になぞっていない位置までなぞるユーザ動作に対応するユーザ操作がデータ処理装置１において検出されてしまうことが抑制される。
【００４９】
また、検出モードがなぞり動作検出モードに設定されることにより、ユーザがなぞり動作を行っている間、感度がより高められ、より軽い力でタッチパネル２２の操作面をなぞってもなぞり動作が検出されることとなり、操作性が向上する。
【００５０】
そして、その後、時刻t4で、ユーザがタッチパネル２２から指を離すと、検出モードがノーマルモードに復帰し、その後、所定期間（図では0.5s）経過した時刻t5で、検出モードが耐ノイズモードに復帰する。
【００５１】
なお、ノーマルモードで、ジャンプリミットをなぞり動作検出モードの場合より大きく設定しているのは、ユーザが高速にタッチをタッチ毎に少し指を滑らせながら繰り返す動作を行った際に、これをデータ処理装置１において異なる複数の点を入力するユーザ操作として認識されてしまわないようにするためである。
【００５２】
以上、本発明の実施形態について説明した。
なお、以上の実施形態は、情報処理システムへの適用を例にとり説明したが、本実施形態は、本実施形態の情報処理システムと同様な構成を備えた任意のシステムに同様に適用可能である。
【符号の説明】
【００５３】
１…データ処理装置、２…タッチパネルモニタ、３…周辺装置、１１…オペレーティングシステム、２１…ディスプレイ、２２…タッチパネル、２３…表示コントローラ、２４…タッチパネルコントローラ、２５…コントローラ。
【図１】
2019061380.tif 000003
【図２】
2019061380.tif 000004
【図３】
2019061380.tif 000005
【図４】
2019061380.tif 000006
【図５】
2019061380.tif 000007